(57)【特許請求の範囲】
【請求項１】
一般式（Ｉ）：
Ｒ1Ｏ−(ＡＯ)ｎ(ＥＯ)ｍ−ＣＯ−Ｒ      （Ｉ）
〔式中、ＡＯはオキシプロピレン基又はオキシテトラメチレン基、ＥＯはオキシエチレン基、Ｒ1は炭素数１２〜２２のアルキル基又はアルケニル基、若しくは炭素数１１〜２１のアルキルカルボニル基又はアルケニルカルボニル基、Ｒは炭素数１１〜２１のアルキル基又はアルケニル基、ｎは２〜５０の整数、ｍは２〜１５の整数を示す。但し、式中のオキシプロピレン基又はオキシテトラメチレン基、オキシエチレン基はランダム状又はブロック状に付加し、その配列は(ＥＯ)−(ＡＯ)−(ＥＯ)、(ＡＯ)−(ＥＯ)−(ＡＯ)、(ＥＯ)−(ＡＯ)、又は(ＡＯ)−(ＥＯ)である〕、
一般式(II）：
Ｒ2Ｏ−(ＰＯ)ｎ'(ＥＯ)ｍ'−Ｈ          （II）
〔式中、ＰＯはオキシプロピレン基、ＥＯはオキシエチレン基、Ｒ2はノニルフェニル基又はオクチルフェニル基、炭素数１２〜２２のアルキル基又はアルケニル基、ｎ'は１０〜４０の整数、ｍ'は２〜２０の整数を示す。但し、式中のオキシプロピレン基、オキシエチレン基はランダム状又はブロック状に付加し、その配列は(ＥＯ)−(ＰＯ)又は(ＰＯ)−(ＥＯ)である〕、又は
一般式（III）：
ＨＯ−(ＡＯ)ｎ"(ＥＯ)ｍ"−Ｈ          （III）
〔式中、ＡＯはオキシプロピレン基又はオキシテトラメチレン基、ＥＯはオキシエチレン基、ｎ"は１６〜６６、ｍ"は２〜４０の整数を示す。但し、式中のオキシプロピレン基又はオキシテトラメチレン基、オキシエチレン基はランダム状又はブロック状に付加し、その配列は(ＥＯ)−(ＡＯ)−(ＥＯ)、(ＡＯ)−(ＥＯ)−(ＡＯ)、(ＥＯ)−(ＡＯ)、又は(ＡＯ)−(ＥＯ)である〕
で表されるポリエーテル系消泡剤と、消泡効力増強有効量の高級脂肪酸とを含有する（但し、油脂類を含有しない）消泡組成物。
【請求項２】
高級脂肪酸が、ステアリン酸若しくはオレイン酸、又はそれらの混合物である請求項１に記載の消泡組成物。
【請求項３】
オレイン酸が、ポリエーテル系消泡剤１重量部に対して０．０３〜０．２５重量部含まれる請求項２に記載の消泡組成物。
【請求項４】
ステアリン酸が、ポリエーテル系消泡剤１重量部に対して０．００５〜０．０２重量部含まれる請求項２に記載の消泡組成物。
【発明の詳細な説明】
【０００１】
【発明の属する技術分野】
この発明は、消泡組成物に関する。更に詳しくは、この発明は、各種工程のプロセス水、廃水等で発生する有害な発泡に対して使用されるポリエーテル系消泡剤と少量の高級脂肪酸とを含有する消泡効力の増強された消泡組成物に関する。
【０００２】
【従来の技術】
各種工業分野におけるプロセス水系、廃水系等における発泡現象は、様々な弊害をもたらす。
例えば、製紙・パルプ工業においては、パルプ化工程、漂白工程、抄紙工程、サイズプレス工程、コーティング工程、排水処理工程等のパルプ化、製紙及び加工工程全般にわたって発泡トラブルが発生する。この発泡は、操業に悪影響を及ぼし、ひいては製品の品質低下の原因となる。
【０００３】
また、繊維工業においては、洗浄工程、精練工程、染色工程、仕上工程、排水処理工程等の各種工程全般にわたり、洗浄剤、浸透剤、分散剤、均染剤、染料溶解剤、帯電防止剤、柔軟剤等に使用される界面活性剤に起因して、各種発泡トラブルが発生する。
更に、塗料工業においては、塗料の製造時に、撹拌や顔料分散等によって泡が塗料中に入ると、塗料に配合されている顔料湿潤剤や分散剤等の界面活性剤が泡の安定剤となり、泡が塗料の中に細かく分散する。これが塗装後、塗膜表面や塗膜中に残ると塗膜外観や塗膜物性を低下させる原因となる。
【０００４】
また、エマルション・ラテックスを乳化重合法で製造する場合には、乳化剤に起因する発泡トラブルが発生し、製造時の安定運転を阻害する原因となる。
その他、諸工業や排水処理工程においても発泡トラブルが多発し、生産効率や処理効率を阻害する原因となっている。
【０００５】
そこで、従来より、油脂類、高級アルコール類、金属石鹸やシリコーンオイル、疎水性シリカ・シリコーンコンパウンド、変成シリコーン等のシリコーン系消泡剤、ポリグリコール等のポリエーテル系消泡剤等の各種消泡剤が開発され、実際に使用されている。
【０００６】
【発明が解決しようとする課題】
しかしながら、上記消泡剤のうち、油脂類、高級アルコール類、金属石鹸やシリコーン系消泡剤は、水に不溶性又は難溶性であるため、製紙工業ではワイヤーの汚れや紙へのスポットむらが生じるという欠点を有する。また、繊維工業では繊維への付着による障害、塗料工業では塗布面でのピンホール又はオイルスポットの発生等の障害、エマルション工業では「ハジキ現象」の原因となっている。
また、シリコーン系消泡剤は、消泡しようとする発泡液の種類や量、温度、ｐＨ等の変動により、乳化破壊による効力低下を生じる欠点もある。
【０００７】
一方、ポリエーテル系消泡剤は、脂肪酸や高級アルコールにエチレンオキサイド及びプロピレンオキサイド等を反応させたものを主成分としたＨＬＢ（親水性親油性バランス）の低い界面活性剤であり、原液の外観は油状であるが、水に添加すると白濁（エマルション分散＝自己乳化）するタイプの消泡剤である。この消泡剤は、前記のようなオイルスポット等の障害の原因とならないが、シリコーン系消泡剤に比較して、使用量が多くなるという欠点を有する。このため排水規制の対象であるＣＯＤ成分やn-ヘキサン抽出物等の増加の原因となることを防止するため、極力その使用量を低減する必要があった。
【０００８】
【課題を解決するための手段】
この発明は、かかる現状と認識に鑑み、ポリエーテル系消泡剤に少量の高級脂肪酸を配合することにより、その消泡効力が増強されることを意外にも見出し、この発明を完成させるに至った。
【０００９】
かくして、この発明によれば、一般式（Ｉ）：
Ｒ1Ｏ−(ＡＯ)ｎ(ＥＯ)ｍ−ＣＯ−Ｒ      （Ｉ）
〔式中、ＡＯはオキシプロピレン基又はオキシテトラメチレン基、ＥＯはオキシエチレン基、Ｒ1は炭素数１２〜２２のアルキル基又はアルケニル基、若しくは炭素数１１〜２１のアルキルカルボニル基又はアルケニルカルボニル基、Ｒは炭素数１１〜２１のアルキル基又はアルケニル基、ｎは２〜５０の整数、ｍは２〜１５の整数を示す。但し、式中のオキシプロピレン基又はオキシテトラメチレン基、オキシエチレン基はランダム状又はブロック状に付加し、その配列は(ＥＯ)−(ＡＯ)−(ＥＯ)、(ＡＯ)−(ＥＯ)−(ＡＯ)、(ＥＯ)−(ＡＯ)、又は(ＡＯ)−(ＥＯ)である〕、
一般式(II）：
Ｒ2Ｏ−(ＰＯ)ｎ'(ＥＯ)ｍ'−Ｈ          （II）
〔式中、ＰＯはオキシプロピレン基、ＥＯはオキシエチレン基、Ｒ2はノニルフェニル基又はオクチルフェニル基、炭素数１２〜２２のアルキル基又はアルケニル基、ｎ'は１０〜４０の整数、ｍ'は２〜２０の整数を示す。但し、式中のオキシプロピレン基、オキシエチレン基はランダム状又はブロック状に付加し、その配列は(ＥＯ)−(ＰＯ)又は(ＰＯ)−(ＥＯ)である〕、または
一般式（III）：
ＨＯ−(ＡＯ)ｎ"(ＥＯ)ｍ"−Ｈ          （III）
〔式中、ＡＯはオキシプロピレン基又はオキシテトラメチレン基、ＥＯはオキシエチレン基、ｎ"は１６〜６６、ｍ"は２〜４０の整数を示す。但し、式中のオキシプロピレン基又はオキシテトラメチレン基、オキシエチレン基はランダム状又はブロック状に付加し、その配列は(ＥＯ)−(ＡＯ)−(ＥＯ)、(ＡＯ)−(ＥＯ)−(ＡＯ)、(ＥＯ)−(ＡＯ)、又は(ＡＯ)−(ＥＯ)である〕
で表されるポリエーテル系消泡剤と、消泡効力増強有効量の高級脂肪酸とを含有する（但し、油脂類を含有しない）消泡組成物が提供される。
【００１０】
この発明において、ポリエーテル系消泡剤の消泡効力を増強させる高級脂肪酸は、それ自体消泡効果を有する化合物として公知である〔兵庫経営開発センター出版部発行（昭和58年10月１日）「泡トラブルと消泡技術」、第25頁参照〕。
しかし、単独では有効な消泡効果が得られない欠点を有するとともに、水に対して不溶性であることからオイルスポット等の原因となる欠点も有する。また、この高級脂肪酸は、他の消泡成分との併用による消泡効力の増強作用は知られていなかった。
【００１１】
この発明の消泡組成物は、ポリエーテル系消泡剤単独より、水に対する自己乳化性が向上し、オイルスポット等の原因とはならない効果が確認されている。この発明の増強された消泡効力は、高級脂肪酸自体が有する消泡作用とは別の、ポリエーテル系消泡剤と高級脂肪酸とのいわゆる相乗効果であると考えられる。即ち、この発明の消泡組成物は、高級脂肪酸がポリエーテル系消泡剤の親水基と疎水基に何らかの影響を及ぼし、ポリエーテル系消泡剤の水面上での拡張が増強され、またポリエーテル系消泡剤の水中における不均一性の増長により泡膜が一層不安定化されるため、強い破泡効果と抑泡効果を発揮するものと考えられる。
【００１２】
【発明の実施の形態】
この発明の高級脂肪酸としては、ラウリル酸（ドデカン酸）、トリデカン酸、ミリスチン酸（テトラデカン酸）、ペンタデカン酸、パルミチン酸（ヘキサデカン酸）、マルガリン酸（ヘプタデカン酸）、ステアリン酸（オクタデカン酸）、イソステアリン酸（16- メチルヘプタデカン酸）、ペテロセリン酸（シス-6- オクタデセン酸）、オレイン酸（シス-9- オクタデセン酸）、エライジン酸（トランス-9- オクタデセン酸）、リノール酸（シス-9, シス-12-オクタデカジエン酸）、リノレン酸（9,12,15-オクタデカトリエン酸）、ステアロール酸（オクタデシン酸）、リシノール酸（12- オキシ- シス-9- オクタデセン酸）、ノナデカン酸、アラキン酸（エイコサン酸）、ヘンエイコサン酸、ベヘン酸（ドコサン酸）、エルカ酸（シス-13-ドコセン酸）、ブラシジン酸（トランス-13-ドコセン酸）等の飽和若しくは不飽和の脂肪酸又はこれらの混合物、工業用ステアリン、工業用オレイン、ヤシ油脂肪酸、牛脂脂肪酸、硬化牛脂脂肪酸、トール油脂肪酸、大豆油脂肪酸、オリーブ油脂肪酸、ツバキ油脂肪酸、トウモロコシ油脂肪酸、アマニ油脂肪酸、ヘントウ油脂肪酸、パーム核油脂肪酸、木蝋脂肪酸等の合成又は天然混合脂肪酸が挙げられる。
【００１３】
ここで、工業用ステアリン及び工業用オレインとは、市販のいわゆるステアリン酸及びオレイン酸をいう〔共立出版発行（昭和46年２月５日発行）「化学大辞典５」第 131頁参照〕。また、天然混合脂肪酸とは、対応する動植物油等から公知の手段により分取された混合脂肪酸をいう。
上記高級脂肪酸のうち、消泡効力増強の点でパルミチン酸、ステアリン酸、イソステアリン酸、ペテロセリン酸、オレイン酸、エライジン酸、リノール酸、リノレン酸、ステアロール酸、リシノール酸、工業用ステアリン及び工業用オレインから１種以上選択される化合物、並びに前記化合物を主体として含有する天然脂肪酸が好ましい。また、ステアリン酸及びオレイン酸、並びにそれらを主体として含有する工業用又は天然混合脂肪酸がより好ましい。
【００１４】
一方、この発明のポリエーテル系消泡剤としては、ポリプロピレングリコール、ポリブチレングリコール等のポリアルキレングリコール（分子量５００〜１０，０００）、脂肪酸や高級アルコールにエチレンオキサイド（ＥＯ）及びプロピレンオキサイド（ＰＯ）やブチレンオキサイド（ＢＯ）を反応させた下記一般式（Ｉ）（エステルタイプ）若しくは下記一般式（II）（エーテルタイプ）で表されるもの、又は下記一般式（III)で表されるポリオキシプロピレン基とポリオキシエチレン基とのブロック共重合体等のＨＬＢの低い界面活性剤が挙げられる。これらポリエーテル系消泡剤は、公知の化合物であり、消泡剤として上市されている市販品を用いることができる。
【００１５】
Ｒ1 Ｏ−（ＡＯ）n （ＥＯ）m −ＣＯ−Ｒ    （Ｉ）
〔式中、ＡＯはオキシプロピレン基又はオキシテトラメチレン基、ＥＯはオキシエチレン基、Ｒ1 は炭素数１２〜２２のアルキル基又はアルケニル基、若しくは炭素数１１〜２１のアルキルカルボニル基又はアルケニルカルボニル基、Ｒは炭素数１１〜２１のアルキル基又はアルケニル基、ｎは２〜５０の整数、ｍは２〜１５の整数を示す。但し、式中のオキシプロピレン基又はオキシテトラメチレン基、オキシエチレン基はランダム状又はブロック状に付加し、その配列は（ＥＯ）−（ＡＯ）−（ＥＯ）、（ＡＯ）−（ＥＯ）−（ＡＯ）、（ＥＯ）−（ＡＯ）、又は（ＡＯ）−（ＥＯ）である〕
【００１６】
Ｒ2 Ｏ−（ＰＯ）n'（ＥＯ）m'−Ｈ          （II）
〔式中、ＰＯはオキシプロピレン基、ＥＯはオキシエチレン基を表し、Ｒ2 はノニルフェニル基又はオクチルフェニル基、炭素数１２〜２２のアルキル基又はアルケニル基、n'は１０〜４０の整数、m'は２〜２０の整数を示す。但し、式中のオキシプロピレン基、オキシエチレン基はランダム状又はブロック状に付加し、その配列は（ＥＯ）−（ＰＯ）又は（ＰＯ）−（ＥＯ）である〕
【００１７】
ＨＯ−（ＡＯ）n"（ＥＯ）m"−Ｈ            （III)
〔式中、ＡＯはオキシプロピレン基又はオキシテトラメチレン基、ＥＯはオキシエチレン基、n"は１６〜６６、m"は２〜４０の整数を示す。但し、式中のオキシプロピレン基又はオキシテトラメチレン基、オキシエチレン基はランダム状又はブロック状に付加し、その配列は（ＥＯ）−（ＡＯ）−（ＥＯ）、（ＡＯ）−（ＥＯ）−（ＡＯ）、（ＥＯ）−（ＡＯ）、又は（ＡＯ）−（ＥＯ）である〕
【００１８】
この発明の高級脂肪酸の有効量とは、ポリエーテル系消泡剤の消泡効力を増強する高級脂肪酸の配合量である。
この発明の発明者らは、この発明の消泡組成物が図１の試験装置を用いたラボ試験（実施例にて詳述）と実際の水系での実地試験との間に消泡効果の著しい相関を有することを確認した。
即ち、上記ラボ試験の結果によれば、発泡量が一定量（４５５ｃｍ3 ）に到達するまでは、発泡量（ｃｍ3 ）と経過時間（秒）とが比例的な相関関係を有すること、及び発泡量が上記一定量に到達するまでの時間が６０秒以上延長されると実際の水系における消泡剤の添加量が低減できることを経験的に確認した。
【００１９】
よって、この発明における高級脂肪酸の有効量とは、具体的には、この発明の消泡効果確認試験（ラボ試験）において、ポリエーテル系消泡剤単独で４５５ｃｍ3 の発泡量に到達する時間（秒）が、高級脂肪酸の配合により６０秒以上延長される高級脂肪酸の配合量をいう。
この有効量は、高級脂肪酸の種類により変動するが、この発明における代表的な高級脂肪酸の有効量（ポリエーテル系消泡剤１重量部に対する重量割合：ｐＨ７．６）は表１のとおりである。
【００２０】
【表１】
0003728451.tif 000002
【００２１】
上記高級脂肪酸の有効量の下限値未満では、ポリエーテル系消泡剤の消泡効力が増強されにくく好ましくなく、また上限値より多く配合しても更なる増強効果が期待できず好ましくない。
【００２２】
この発明の消泡効力が増強された消泡組成物は、ポリエーテル系消泡剤に高級脂肪酸又はこれらの混合脂肪酸を上記配合割合で混合することにより得られる。但し、常温にて固体である飽和脂肪酸や飽和脂肪酸を多く含有する混合脂肪酸の場合、加温により液状にしたのち混合してもよい。
尚、この発明の高級脂肪酸又はこれらの混合脂肪酸が、ステアリン酸等の長鎖飽和脂肪酸の場合には、その配合量が多くなると加温により液状にしてもポリエーテル系消泡剤と均一混合しない傾向があるので、長鎖飽和脂肪酸をエチルアルコール等の低級アルコール等の溶媒に溶解したのち、ポリエーテル系消泡剤と混合してもよい。
また、ステアリン酸等の長鎖飽和脂肪酸をポリエーテル系消泡剤に配合する場合には、保存時に飽和脂肪酸の結晶が析出する場合があるので、オレイン酸等の常温液状の不飽和脂肪酸を飽和脂肪酸に対して同量以上となるように配合することが好ましい。
【００２３】
このようにして得られたこの発明の消泡組成物は、長期保存時の製剤安定性が優れるとともに、少量の配合で優れた消泡効果を発揮する。
この発明の消泡対象系としては、
▲１▼製紙・パルプ工業におけるパルプ化工程、漂白工程、抄紙工程、サイズプレス工程、コーティング工程、排水処理工程などのパルプ化、製紙及び加工工程全般、
▲２▼繊維工業における洗浄工程、精練工程、染色工程、仕上工程、排水処理工程等各種工程全般、
▲３▼塗料やエマルション・ラテックスの製造工程、製品の保管・輸送工程、
▲４▼その他諸工業や各種排水処理工程
が挙げられる。
【００２４】
この発明の消泡組成物の消泡対象水系に対する有効添加量としては、対象系の温度、ｐＨ、発泡物質量等により適宜決定することができる。一般に消泡組成物の添加量は、０．１〜５０００ｍｇ／リットル、好ましくは１〜１０００ｍｇ／リットルである。
特にｐＨが低い対象水系においては、消泡効力が低下する傾向にあり、上記範囲内で増量するのが望ましい。しかしながら、どのような状況においても５０００ｍｇ／リットルまでの添加量で十分であり、それ以上の添加は環境汚染上もまた経済上も好ましくない。
【００２６】
【実施例】
この発明を以下の実施例及び比較例により説明するが、これによりこの発明の範囲を限定するものではない。
（消泡組成物の調製）
エステルタイプのポリエーテル系消泡剤３種、エーテルタイプのポリエーテル系消泡剤３種及びプルロニックタイプのポリエーテル系消泡剤１種に、高級脂肪酸としてオレイン酸又はステアリン酸を撹拌下、混合して下記消泡組成物を調製した。混合にあたり、ステアリン酸は加熱下で液状化させた。
【００２７】
尚、使用したポリエーテル系消泡剤は下記式で表される。
・ポリエーテル系消泡剤 No.１（エステルタイプ：エステル価２．０）
Ｒ3 −Ｏ−（ＰＯ）−（ＥＯ）−（ＰＯ）−Ｒ3 
（式中、Ｒ3 はオレオイル基、ＰＯ：ＥＯ＝２９．３モル：６．８モル）
・ポリエーテル系消泡剤 No.２（エステルタイプ：エステル価１．４）
Ｒ4 −Ｏ−（ＥＯ）−（ＰＯ）−（ＥＯ）−Ｒ4 
（式中、Ｒ4 はステアロイル基、ＰＯ：ＥＯ＝３０モル：１０モル）
・ポリエーテル系消泡剤 No.３（エステルタイプ）
Ｒ5 −Ｏ−（ＰＯ）−（ＥＯ）−Ｒ6 
（式中、Ｒ5 はテトラデシル基、Ｒ6 はオレオイル基、ＰＯ：ＥＯ＝８モル：１２モル）
・ポリエーテル系消泡剤 No.４（エーテルタイプ）
Ｒ7 −Ｏ−（ＥＯ）−（ＰＯ）−Ｈ
（式中、Ｒ7 はオクタデシル基、ＰＯ：ＥＯ＝２７モル：９モル）
【００２８】
・ポリエーテル系消泡剤 No.５（エーテルタイプ）
Ｒ7 −Ｏ−（ＰＯ）−（ＥＯ）−Ｈ
（式中、Ｒ7 はオクタデシル基、ＰＯ：ＥＯ＝２０モル：５モル）
・ポリエーテル系消泡剤 No.６（エーテルタイプ：ランダム重合）
Ｒ7 −Ｏ−（ＥＯ／ＰＯ）−Ｈ
（式中、Ｒ7 はオクタデシル基、ＰＯ：ＥＯ＝20モル：５モル）
・ポリエーテル系消泡剤 No.７（プルロニックタイプ）
Ｈ−Ｏ−（ＥＯ）−（ＰＯ）−（ＥＯ）−Ｈ
（式中、ＰＯ：ＥＯ＝３０モル：５．６モル）
【００２９】
実施例１
ポリエーテル系消泡剤 No.１      ８０重量部
オレイン酸                      ２０重量部
実施例２
ポリエーテル系消泡剤 No.１      ８５重量部
オレイン酸                      １５重量部
実施例３
ポリエーテル系消泡剤 No.１      ９０重量部
オレイン酸                      １０重量部
実施例４
ポリエーテル系消泡剤 No.１      ９５重量部
オレイン酸                        ５重量部
実施例５
ポリエーテル系消泡剤 No.１      ９７重量部
オレイン酸                        ３重量部
【００３０】
実施例６
ポリエーテル系消泡剤 No.１      ９８重量部
ステアリン酸                      ２重量部
実施例７
ポリエーテル系消泡剤 No.１      ８０重量部
ラウリン酸                      ２０重量部
実施例８
ポリエーテル系消泡剤 No.１      ９８重量部
パルミチン酸                      ２重量部
実施例９
ポリエーテル系消泡剤 No.１      ９０重量部
リノール酸                      １０重量部
実施例１０
ポリエーテル系消泡剤 No.２      ９５重量部
オレイン酸                        ５重量部
【００３１】
実施例１１
ポリエーテル系消泡剤 No.３      ９５重量部
オレイン酸                        ５重量部
実施例１２
ポリエーテル系消泡剤 No.４      ９０重量部
オレイン酸                      １０重量部
実施例１３
ポリエーテル系消泡剤 No.４      ９５重量部
オレイン酸                        ５重量部
実施例１４
ポリエーテル系消泡剤 No.４      ９８重量部
ステアリン酸                      ２重量部
実施例１５
ポリエーテル系消泡剤 No.４      ９９．５重量部
ステアリン酸                      ０．５重量部
【００３２】
実施例１６
ポリエーテル系消泡剤 No.５      ９０重量部
オレイン酸                      １０重量部
実施例１７
ポリエーテル系消泡剤 No.５      ９５重量部
オレイン酸                        ５重量部
実施例１８
ポリエーテル系消泡剤 No.６      ９５重量部
オレイン酸                        ５重量部
実施例１９
ポリエーテル系消泡剤 No.７      ９０重量部
オレイン酸                      １０重量部
実施例２０
ポリエーテル系消泡剤 No.７      ９５重量部
オレイン酸                        ５重量部
【００３３】
実施例２１
ポリエーテル系消泡剤 No.１      ９４．５重量部
オレイン酸                        ５．０重量部
ステアリン酸                      ０．５重量部
実施例２２
ポリエーテル系消泡剤 No.４      ８９．５重量部
オレイン酸                      １０．０重量部
ステアリン酸                      ０．５重量部
【００３４】
比較例１
ポリエーテル系消泡剤 No.１    １００重量部
比較例２
ポリエーテル系消泡剤 No.２    １００重量部
比較例３
ポリエーテル系消泡剤 No.３    １００重量部
比較例４
ポリエーテル系消泡剤 No.４    １００重量部
比較例５
ポリエーテル系消泡剤 No.５    １００重量部
比較例６
ポリエーテル系消泡剤 No.６    １００重量部
比較例７
ポリエーテル系消泡剤 No.７    １００重量部
【００３５】
試験例〔消泡効果確認試験〕
《試験方法》
水道水にアニオン界面活性剤〔２級アルカン（平均炭素数１５）スルホン酸ソーダ：バイエル社製、商品名「メルソラートＨ９５」〕を６０ｍｇ／リットル添加し、撹拌溶解した（ｐＨ７．６）。この水溶液２リットルを供試水とし、パイプヒーターを用いて液温を３０℃に調整した。
次いで、供試水に２５ｍｇ／リットルの消泡剤組成物を添加し、これを試験液１とし、図１の試験装置を用いてこの発明の消泡組成物及び比較例の消泡剤の消泡効果確認試験を実施した。
【００３６】
即ち、パイプヒーター３（八光電気製作所製、電圧１００Ｖ、消費電力５００Ｗ）と三脚スノコ４（外径１２ｃｍ，高さ７ｃｍ）を備えた容器２（外径１４．７ｃｍ、内径１３．９ｃｍ、高さ３０ｃｍ）に試験液１を静かに投入し、流量２４リットル／分の循環量となるように予め調整したポンプ５（イワキ社製マグネットポンプ、型式ＭＤ−30Ｒ−Ｎ）を稼働させ、容器２の底部から試験液１を吸い上げ、パイプ６（経路長約１００ｃｍ）を介して基準液面上７ｃｍの位置から試験液１を落下、試験液１を循環させた（図中、矢印）。この循環により発泡した試験液１の発泡高さ（基準液面から発泡物上端までの高さ）をポンプ６の稼働開始から経時的に測定した。尚、測定値は７ｃｍを測定限界とした（表５中、※で表示）。
【００３７】
また、発泡した試験液１の発泡高さが３ｃｍ（発泡量に換算して４５５ｃｍ3 ）を越えた時の経過時間を測定した。
消泡組成物の成分及び組成と共に試験結果を表２〜５及び図２に示す。
【００３８】
【表２】
0003728451.tif 000003
【００３９】
【表３】
0003728451.tif 000004
【００４０】
【表４】
0003728451.tif 000005
【００４１】
【表５】
0003728451.tif 000006
【００４２】
表２〜５において、ポリエーテル系消泡剤をＡ成分、高級脂肪酸をＢ成分で表す。また、高級脂肪酸は下記の略号で表す。
ＯＬ：オレイン酸
ＳＴ：ステアリン酸
ＬＡ：ラウリン酸
ＰＡ：パルチミン酸
ＬＮ：リノール酸
図２において、消泡組成物中のＡ成分はすべてポリエーテル系消泡剤 No.１であり、オレイン酸を実線でステアリン酸を破線で表す。また、Ｘ軸はポリエーテル系消泡剤１重量部に対する高級脂肪酸の重量割合を、Ｙ軸は発泡量が４５５ｃｍ3 を越えた時の経過時間（秒）を表す。
【００４３】
表２〜５より、ポリエーテル系消泡剤に消泡効力増強有効量の高級脂肪酸を配合したこの発明の消泡組成物は、ポリエーテル系消泡剤の消泡効果を著しく増強させることがわかる。
図２より、オレイン酸をポリエーテル系消泡剤１重量部に対して０．０３重量部以上配合することにより、ポリエーテル系消泡剤単独に比較して、発泡量が４５５ｃｍ3 を越えるまでの経過時間が３３０秒以上延長され、顕著な消泡増強効果が発揮されていることがわかる。
また、ステアリン酸をポリエーテル系消泡剤１重量部に対して０．００５重量部以上配合することにより、ポリエーテル系消泡剤単独に比較して、発泡量が４５５ｃｍ3 を越えるまでの経過時間が９０秒以上延長され、顕著な消泡増強効果が発揮されていることがわかる。
【００４４】
【発明の効果】
この発明の消泡組成物は、ポリエーテル系消泡剤と消泡効力増強有効量の高級脂肪酸とを含有するので、これらが相乗的に作用し、ポリエーテル系消泡剤の消泡効力が増強され、ポリエーテル系消泡剤の添加量を低減することができる。このためポリエーテル系消泡剤の添加による排水規制の対象であるＣＯＤ成分やｎ−ヘキサン抽出物等の増加を抑制することができる。また、ポリエーテル系消泡剤はＨＬＢの低い界面活性剤で、水に添加すると自己乳化するタイプの消泡剤であるので、例えば塗料工業におけるオイルスポット、エマルション工業における「ハジキ現象」等を解消することができる。
【図面の簡単な説明】
【図１】本発明の消泡組成物の消泡効果を測定するための試験装置の概略図である。
【図２】本発明の消泡組成物の消泡効果を示す図である。
【符号の説明】
１  試験液
２  容器
３  パイプヒーター
４  三脚スノコ
５  ポンプ
６  パイプ
【図１】
0003728451.tif 000007
【図２】
0003728451.tif 000008